(57)【要約】【課題】  ４角形の開口部を一対の内フラップと外フラップとによって確実且つ安定したロック状態で閉塞できると共に、ロック状態をスムーズに開放できるプラスチック箱を提供する。【解決手段】  プラスチックからなり、開口部１７の一方の対向する２辺１８に連設する内フラップ１３を内側に折り曲げ、他方の対向する２辺１９のいずれか一方の辺に連設する外フラップ１５を折り重ねると共に、差し込みフラップ片１４を開口部１７の内側に差し込んで係止することにより、開口部１７を閉塞するプラスチック箱であって、差し込みフラップ片１４の外フラップ１５からの折曲げ線２０の両端部分に形成した切込み２１に、内フラップ１３の基端部分１３ａを係止することによるロック機構が設けられており、且つ折曲げ線２０から外側に突出する指掛けつば片２２が、折曲げ線２０の中央から側端部側にずれた位置に設けられている。【選択図】      図１
2006151493.tif 000002
【特許請求の範囲】
【請求項１】
プラスチックからなり、４角形の開口部の周縁の一方の対向する２辺に連設する内フラップを各々内側に折り曲げ、他方の対向する２辺のいずれか一方の辺に連設する、差込みフラップ片を備える外フラップを折り重ねると共に、前記差込みフラップ片を前記他方の対向する２辺のうちの他方の辺と前記折り曲げた内フラップとの間の前記開口部の内側に差し込んで係止することにより、前記開口部を閉塞するプラスチック箱であって、
前記差込みフラップ片の前記外フラップからの折曲げ線の両端部分に形成した切込みに、前記内フラップの基端部分を係止することによるロック機構が設けられており、
且つ前記折曲げ線から外側に突出する指掛けつば片が、前記折曲げ線の中央から側端部側にずれた位置に設けられているプラスチック箱。
【請求項２】
前記指掛けつば片は、その中央が、前記折曲げ線の中央から側端部側にずれて当該側端部から前記折曲げ線の長さの１／５以上１／２未満の領域に配置されて設けられている請求項１記載のプラスチック箱。
【請求項３】
前記差込みフラップ片が差し込まれる前記他方の辺を切り欠いて、前方側壁部の前記指掛けつば片を臨ませる位置に、指掛け案内切欠きが形成されている請求項１又は２に記載のプラスチック箱。
【請求項４】
前記指掛けつば片は、前記差込みフラップ片の前記外フラップからの折曲げ線と交差する一対の切込み線を含むコの字形状のつば片用切込みを形成することにより、前記折曲げ線から外側に突出して設けられる請求項１〜３のいずれかに記載のプラスチック箱。
【請求項５】
前記指掛けつば片は、前記外フラップの面方向に沿って、５〜２０ｍｍの幅、及び０．５〜２．０ｍｍの突出長さで突出して設けられる請求項１〜４のいずれかに記載のプラスチック箱。
【発明の詳細な説明】
【技術分野】
【０００１】
本発明は、プラスチック箱に関し、特に、４角形の開口部に連設する一対の内フラップを内側に折り曲げ、外フラップを折り重ねると共に、差込みフラップ片を開口部の内側に差し込んで係止することにより、開口部を閉塞するプラスチック箱に関する。
【背景技術】
【０００２】
例えば、化粧品類、薬品類、菓子類、文房具類や、その他の日用品等を包装する包装箱として、従来の厚紙やダンボール等からなる紙製の箱に代えて、プラスチック製のプラスチック箱が多用されている。プラスチック箱は、透明な、或いは透明感のある容器として、内部の収容物や装飾を外側から視認可能とする包装箱であり、例えば所定の形状に切り抜いたプラスチックシートを折曲げ線に沿って折り曲げたり、適宜の箇所で接合することにより、好ましくは６面体形状に容易に組立て加工して形成される。
【０００３】
また、プラスチック箱を６面体形状に組み立てる場合、例えば４方を囲む側壁部によって、上下の端部が開口する断面４角形の筒状体を組み立てた後、底面部や上面部は、側壁部の上縁や下縁に連設して設けた内フラップや外フラップを折り曲げて、４角形の開口部を閉塞することにより形成する。すなわち、４角形の開口部の周縁の一方の対向する２辺に連設する内フラップを各々内側に折り曲げ、他方の対向する２辺のいずれか一方の辺に連設する、差込みフラップ片を備える外フラップを、折り曲げた内フラップの外側に折り重ねると共に、差込みフラップ片を他方の対向する２辺のうちの他方の辺と折り曲げた内フラップとの間の開口部の内側に差し込んで係止することにより、開口部を閉塞して底面部や上面部を形成する。
【０００４】
一方、プラスチック箱を６面体形状に組み立てる場合、プラスチックは弾性を有していることから、折曲げ線に沿って折り曲げて立体形状に組み立てられた箱体の各面は、紙製の箱と比較して湾曲しがちになる。このため、プラスチック箱は、差込みフラップ片を単に開口部の内側に差し込んで底面部又は上面部を形成しても、プラスチックの弾性によって差込みフラップ片が開口部の内側から抜け出やすくなることから、このような差込みフラップ片の抜け出しを防止することを目的として、例えば差込みフラップ片の外フラップからの折曲げ線の両端部分に係止用の切込みを形成し、この切込みに、内フラップの基端部分を係止することによるロック機構が設けられる。
【０００５】
また、６面体形状に組み立てられたプラスチック箱は、特にその上面部を開閉して、収容物の出し入れを行う必要があることから、プラスチック箱の開封を容易にすることを考慮したロック機構も開発されている（例えば、特許文献１参照）。
【特許文献１】実開平６−４２６３２号公報
【発明の開示】
【発明が解決しようとする課題】
【０００６】
特許文献１のロック機構は、差込みフラップ片の両側端部における、外フラップからの折曲げ線の近傍に、内フラップ片の側縁を係止するための、内側に突出する突起を各々設けておき、差込みフラップ片を４角形の開口部の内側に差し込んで当該開口部を閉塞する際に、先行して折り曲げられた内フラップ片の側縁を、これの撓みによって突起を乗り越えさせつつ当該突起に係止させるものである。しかしながら、特許文献１のロック機構では、プラスチック箱の開封は容易になる一方で、突起を高くして形成することが困難なため、係止力が劣ることになり、またプラスチックの弾性によって各面が湾曲しがちになるプラスチック箱を、開口部を閉塞させた状態で安定してロックすることができない場合がある。
【０００７】
本発明は、４角形の開口部を一対の内フラップと、差し込みフラップ片を備える外フラップとによって確実且つ安定したロック状態で閉塞することができると共に、ロック状態をスムーズに開放して収容物の出し入れを容易に行うことを可能にするプラスチック箱を提供することを目的とする。
【課題を解決するための手段】
【０００８】
本発明は、プラスチックからなり、４角形の開口部の周縁の一方の対向する２辺に連設する内フラップを各々内側に折り曲げ、他方の対向する２辺のいずれか一方の辺に連設する、差込みフラップ片を備える外フラップを折り重ねると共に、前記差込みフラップ片を前記他方の対向する２辺のうちの他方の辺と前記折り曲げた内フラップとの間の前記開口部の内側に差し込んで係止することにより、前記開口部を閉塞するプラスチック箱であって、前記差込みフラップ片の前記外フラップからの折曲げ線の両端部分に形成した切込みに、前記内フラップの基端部分を係止することによるロック機構が設けられており、且つ前記折曲げ線から外側に突出する指掛けつば片が、前記折曲げ線の中央から側端部側にずれた位置に設けられているプラスチック箱を提供することにより、上記目的を達成したものである。
【発明の効果】
【０００９】
本発明のプラスチック箱によれば、４角形の開口部を一対の内フラップと、差し込みフラップ片を備える外フラップとによって確実且つ安定したロック状態で閉塞することができると共に、ロック状態をスムーズに開放して収容物の出し入れを容易に行うことができる。
【発明を実施するための最良の形態】
【００１０】
本発明の好ましい一実施形態に係るプラスチック箱１０は、図１（ａ），（ｂ）及び図２に示すように、所定の形状に切り抜き形成されたプラスチックシート１１を折り曲げて立体形状に組み立てることにより、収容物をして例えば化粧品類を収容する包装箱として用いられものであり、前方側壁部１２ａと、一対の側方側壁部１２ｂと、後方側壁部１２ｃとによって４方を囲まれる、断面４角形の筒状体における上面部及び底面部の４角形の開口部１７を、後述する一対の内フラップ１３と、差し込みフラップ片１４を備える外フラップ１５とにより閉塞して、６面体形状として例えば幅Ｂが２５〜６０ｍｍ、奥行きＬが２０〜６０ｍｍ、高さＨが８０〜１８０ｍｍ程度の大きさの、縦長の直方体形状に形成される。
【００１１】
そして、本実施形態のプラスチック箱１０は、プラスチックからなり、例えば上面部における４角形の開口部１７の周縁の一方の対向する２辺（側方側壁部１２ｂの上辺）１８に連設する内フラップ１３を各々内側に折り曲げ、他方の対向する２辺１９のいずれか一方の辺（後方側壁部１２ｃの上辺）に連設する、差込みフラップ片１４を備える外フラップ１５を折り重ねると共に、差込みフラップ片１４を他方の対向する２辺１９のうちの他方の辺（前方側壁部１２ａの上辺）と折り曲げた内フラップ１３との間の開口部１７の内側に差し込んで係止することにより、開口部１７を閉塞するプラスチック製の包装箱である。また差込みフラップ片１４の外フラップ１５からの折曲げ線（差込み折曲げ線）２０の両端部分に形成した切込み２１に、内フラップ１３の基端部分１３ａを係止することによるロック機構が設けられており、且つ差込み折曲げ線２０から外側に突出する指掛けつば片２２が、差込み折曲げ線２０の中央から側端部側にずれた位置に設けられている。
【００１２】
また、本実施形態では、差込みフラップ片１４が差し込まれる、他方の対向する２辺１９のうちの他方の辺（前方側壁部１２ａの上辺）を切り欠いて、前方側壁部１２ａの指掛けつば片２２を臨ませる位置に、指掛け案内切欠き２３が形成されている。
【００１３】
さらに、本実施形態では、指掛けつば片２２は、差し込みフラップ片１４の外フラップ１５からの差み折曲げ線２０と交差する一対の切込み線２４ａを含むコの字形状のつば片用切込み２４を形成することにより、差込み折曲げ線２０から外側に突出して設けられている。
【００１４】
本実施形態のプラスチック箱１０を形成するためのプラスチックシート１１は、プラスチックとして例えばポリプロピレン、ポリエチレンテレフタレート、ポリ塩化ビニル、ポリスチレン等からなる、好ましくは０．３〜０．５ｍｍ、更に好ましくは０．３５〜０．４５ｍｍの厚さを備える薄板状のシート材料であって、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備えている。
【００１５】
また、プラスチックシート１１は、図２に示すように、プラスチック箱１０を展開した形状となるように、例えば打ち抜いて形成されると共に、例えば半切れ線や罫線からなる折曲げ線２５，２６や、全切れ線からなる切込み２１，２４等が適宜の位置に設けられて、６面体形状に組み立てる作業を容易に行うことができるようになっている。すなわち、例えば縦長の長方形の後方側壁部１２ｃの両側には、縦方向折曲げ線２５を介して縦長の長方形の側方側壁部１２ｂが各々連設しており、一方の側方側壁部１２ｂの側方には、縦方向折曲げ線２５を介して縦長の長方形の前方側壁部１２ａが連設している。また前方側壁部１２ａの側方には、縦方向折曲げ線２５を介して縦長帯状の接合片１６が連設している。さらに、各側方側壁部１２ｂの上方及び下方には、横方向折曲げ線２６を介して内フラップ１３が各々連設していると共に、後方側壁部１２ｃの上方、及び前方側壁部１２ａの下方には、横方向折曲げ線２６を介して差込みフラップ片１４を備える外フラップ１５が各々連設している。
【００１６】
さらにまた、本実施形態では、後方側壁部１２ｃの上方に連設する外フラップ１５の差込みフラップ片１４との間の差込み折曲げ線２０には、当該差込み折曲げ線２０と交差する一対の切込み線２４ａを含むコの字形状のつば片用切込み２４が、当該差込み折曲げ線２０の中央から側端部側にずれた位置として、例えばつば片用切込み２４の中央が差込み折曲げ線２０の側端部から折曲げ線２０の長さの１／５以上１／２未満の領域（本実施形態では折曲げ線２０の長さの略１／３の位置）に配置されるように設けられている。またつば片用切込み２４は、コの字形状の開放側を後方側壁部１２ｃ側に向け、閉塞側を差込みフラップ片１４に食い込ませて形成されることにより、差込み折曲げ線２０を介して差込みフラップ片１４を折り曲げた際に、指掛けつば片２２は、外フラップ１５の面方向に沿って、例えば５〜２０ｍｍの幅、及び０．５〜２．０ｍｍの突出長さで差込み折曲げ線２０から突出して設けられる（本実施形態では幅略１０ｍｍ、突出長さ略１ｍｍ）。
【００１７】
ここで、つば片用切込み２４によって形成される指掛けつば片２２を、その中央が、差込み折曲げ線２０の側端部から差込み折曲げ線２０の長さの１／５以上１／２未満、好ましくは１／５〜４／９、さらに好ましくは２／７〜２／５、特に好ましくは２／７〜４／１１の領域に配置されるように設けることにより、片側のロック部分に応力が集中されて、ロック状態を容易に開放することが可能になる。また指掛けつば片２２を、外フラップ１５の面方向に沿って、５〜２０ｍｍの幅、及び０．５〜２．０ｍｍの突出長さで設けることにより、指掛けつば片２２をしっかりと指先に引っ掛けることが可能になる。
【００１８】
また、本実施形態では、外フラップ１５の差込み折曲げ線２０の横方向折曲げ線２６からの間隔Ｌ’は、切込み２１が形成された両端部分を除いて、プラスチック箱１０の奥行きＬに相当する側方側壁部１２ｂの幅よりも例えば１．０〜２．０ｍｍ程度短くなるように、後方側壁部１２ｃ側に食い込んで設けられている。これによって、開口部１７を内フラップ１３及び外フラップ１５により閉塞してロックする際に（図１（ａ），（ｂ）参照）、切込み２１により外フラップ１５から切り離された差込みフラップ片１４の両端部分が内フラップ１３の基端部分１３ａの下方に各々スムーズに入り込むことが可能になり、十分な係止幅を確保して、より安定したロック状態を得ることが可能になる。またこれによって、外フラップ１５により開口部１７を閉塞した際に、指掛けつば片２２が突出する差込み折曲げ線２０と前方側壁部１２ａの上辺１９との間には、例えば０．５〜５．０ｍｍ程度の隙間が保持されるので、指掛けつば片２２を前方側壁部１２ａの延長面から突出させることなく、邪魔にならないように設けることが可能になる。
【００１９】
さらに、本実施形態では、差込み折曲げ線２０の両端部分に形成した切込み２１は、例えば３〜５ｍｍの長さで設けられると共に、差込み折曲げ線２０に向けて斜めに延設する切込み部分を介して差込み折曲げ線２０に接続している。また、内フラップ１３の基端部分１３ａは、切込み２１の長さに対応させた長さを有する、内フラップ１３の側縁から一段幅が広がった拡幅段差部分として設けられており、この基端部分１３ａは、内フラップ１３及び差込みフラップ片１４の弾性により切込み２１に差し込まれるようにして係止されて、切込み２１と共に強固且つ安定したロック機構を形成することになる。
【００２０】
さらにまた、本実施形態では、差込みフラップ片１４が差し込まれる開口部１７の他方の辺１９となる前方側壁部１２ａの上縁を切り欠いて、例えば切欠き幅が７〜２２ｍｍ程度の半円形状の指掛け案内切欠き２３が、指掛けつば片２２の位置と対応させて、前方側壁部１２ａの上縁の中央から側端部側にずれた位置として、例えば指掛け案内切欠き２３の中央が当該上縁の側端部から当該上縁の長さの１／５以上１／２未満、好ましくは１／５〜４／９、さらに好ましくは２／７〜２／５、特に好ましくは２／７〜４／１１の領域（本実施形態では上縁の長さの略１／３の位置）に配置されるように設けられている。これによって、開口部１７を内フラップ１３及び外フラップ１５により閉塞してロックした際に（図１（ａ），（ｂ）参照）、差込み折曲げ線２０から突出する指掛けつば片２２を、指掛け案内切欠き２３の切欠き幅に面するように配置させて、指掛け案内切欠き２３に臨ませるようになっている。
【００２１】
そして、上述のように形成されたプラスチックシート１１を用いてプラスチック箱１０を組み立てるには、まず各縦方向折曲げ線２５を略９０度折り曲げて、一方の側方側壁部１２ｂの側縁部に沿って接合片１６を接着剤や熱融着等を介して接合することにより、前方側壁部１２ａと、一対の側方側壁部１２ｂと、後方側壁部１２ｃとによって４方を囲まれる、断面４角形の筒状体を形成する。しかる後に、かかる筒状体の底面部を、当該底面部における４角形の開口部（図示せず。）の周縁の一方の対向する２辺（側方側壁部１２ｂの下辺）に連設する内フラップ１３を各々内側に折り曲げ、他方の対向する２辺のいずれか一方の辺（前方側壁部１２ａの下辺）に連設する、差込みフラップ片１４を備える外フラップ１５を折り重ね、差し込みフラップ片１４を開口部の内側に差し込んで開口部を閉塞すると共に、差込み折曲げ線２０の両端部分に形成した切込み２１に、内フラップ１３の基端部分１３ａを係止することによって、閉塞状態を強固且つ安定した状態でロックする。
【００２２】
プラスチック箱１０の底面部を閉塞したら、上面部の開口部１７から内部に化粧品類等の収容物を収容すると共に、底面部と同様にして、上面部を、当該上面部における４角形の開口部１７の周縁の一方の対向する２辺（側方側壁部１２ｂの上辺）１８に連設する内フラップ１３を各々内側に折り曲げ、他方の対向する２辺１９の一方である後方側壁部１２ｃの上辺に連設する、差し込みフラップ片１４を備える外フラップ１５を内フラップ１３に上に折り重ね、差し込みフラップ片１４を開口部１７の内側の前方側壁部１２ａと内フラップ１３の側縁との間に差し込んで開口部１７を閉塞すると共に、差込み折曲げ線２０の両端部分に形成した切込み２１に、内フラップ１３の基端部分１３ａを係止することによって、閉塞状態を強固且つ安定した状態でロックする。
【００２３】
そして、本実施形態のプラスチック箱１０によれば、上述のように、差込み折曲げ線２０の両端部分に形成した切込み２１に内フラップ１３の基端部分１３ａを係止することによって、開口部の閉塞状態を強固且つ安定した状態でロックすることが可能になると共に、閉塞された上面部の開口部１７のロック状態をスムーズに開放して、収容物の出し入れを容易に行うことができる。すなわち、本実施形態によれば、差込み折曲げ線２０から外側に突出する指掛けつば片２２が、差込み折曲げ線２０の中央から側端部側にずれた位置に設けられているので、開口部１７の内側から差し込みフラップ片１４を引き上げ、内フラップ１３及び差込みフラップ片１４の弾性によってこれらを撓ませつつ、切込み２１と内フラップ１３の基端部分１３ａとの係止状態を解除する際に、例えば指を前方側壁部１２ａに沿って上方にスライド移動させて、指先を指掛けつば片２２にスムーズに引っ掛けて開口操作を行うことが可能になる。また指掛けつば片２２が中央から側端部側にずれた位置に設けられていることにより、ロック機構の片側にだけ開放のための応力を効率良く集中させることが可能になり、これによってロック状態の解除のための大きな力を要することなく、また差込み折曲げ線２０の両端部に設けた切込み２１が破れたり欠損するのを回避しつつ、容易に上面部の開口部１７を開封させて、収容物の出し入れを行うことが可能になる。
【００２４】
また、本実施形態のプラスチック箱１０によれば、前方側壁部１２ａの上縁を切り欠いて、指掛け案内切欠き２３が、指掛けつば片２２を臨ませる位置に形成されているので、当該指掛け案内切欠き２３に指を添えて上方にスライド移動させることにより、例えば指掛けつば片２２が前方側壁部１２ａの延長面から突出させることなく設けられている場合であっても、指先を指掛けつば片２２にスムーズに引っ掛けさせて、開口操作を容易に行うことが可能になる。
【００２５】
なお、本発明は上記実施形態に限定されることなく種々の変更が可能である。例えば前方側壁部の指掛けつば片を臨ませる位置に指掛け案内切欠きを設ける必要は必ずしもなく、また指掛け案内切欠きは、半長円形状、半楕円形状、矩形形状、３角形状等の半円形状以外の種々の形状に形成することもできる。また、指掛けつば片は、差込み折曲げ線と交差するコの字形状のつば片用切り込みによって設ける必要は必ずしもなく、例えば指掛けつば片を別途に貼り付けて設けても良い。さらに、指掛けつば片を外フラップの面方向に沿って突出させる必要は必ずしもない。さらにまた、プラスチック箱の上面部のみならず底面部も、指掛けつば片によって易開封可能な構造とすることができ、プラスチック箱は、矩形のみならず、台形、正方形等のその他の４角形の断面形状や開口部を備えるものであっても良い。
【図面の簡単な説明】
【００２６】
【図１】（ａ），（ｂ）は、本発明の好ましい一実施形態に係るプラスチック箱の構成を説明する、上面部の開口部を閉塞する状況を示す要部斜視図である。
【図２】本発明の好ましい一実施形態に係るプラスチック箱を構成するプラスチックシートの展開形状を示す平面図である。
【符号の説明】
【００２７】
１０  プラスチック箱
１１  プラスチックシート
１２ａ  前方側壁部
１２ｂ  側方側壁部
１２ｃ  後方側壁部
１３  内フラップ
１３ａ  内フラップの基端部分
１４  差し込みフラップ片
１５  外フラップ
１６  接合片
１７  ４角形の開口部
１８  開口部の周縁の一方の対向する２辺
１９  開口部の周縁の他方の対向する２辺
２０  差込み折曲げ線（折曲げ線）
２１  切込み
２２  指掛けつば片
２３  指掛け案内切欠き
２４  つば片用切込み
２４ａ  切込み線
２５  縦方向折曲げ線
２６  横方向折曲げ線
【図１】
2006151493.tif 000003
【図２】
2006151493.tif 000004